(57)【要約】【課題】  商品や人間に悪影響を及ぼすことなく、いわゆる万引の防止をより一段と図ることができるようにする。【解決手段】  例えば、香りシート３６を内蔵する香りシート内蔵ICタグ２２が商品２１に貼り付けられている状態で、犯人が、香りシート内蔵ICタグ２２を商品２１から剥がそうとした場合、香りシート３６が外部に露出して、その香りシート３６から匂いの分子５１が周囲に放散される。これにより、犯人が香りシート内蔵ICタグ２２を壊そうとしていることを、周囲の人に容易に気づかせることが可能になる。その結果、犯人は、ICタグをはがす方法で商品２１を万引きすることができなくなり、商品２１の万引き防止を確実に図ることができる。本発明は、万引き防止用のRFIDシステムに適用可能である。【選択図】  図７
2006189923.tif 000002
【特許請求の範囲】
【請求項１】
外表面を構成する第１のシートと、
外裏面を構成する第２のシートと、
外部のリーダライタとの間で無線通信を行うことで情報を送受信するICタグインレットと、
匂いの分子を放散させる第３のシートと
を備えるICタグであって、
前記ICタグインレットは、前記第１のシートと前記第２のシートとの間に配置され、
前記第３のシートは、前記ICタグの前記外裏面が物体の面に接着されている状態で前記ICタグが前記物体から剥がされた場合に、前記ICタグの外部に露出して、前記匂いの分子を周囲に放散させるように、前記第１のシートと前記第２のシートとの間に配置されている
ことを特徴とするICタグ。
【請求項２】
前記ICタグは、表面の少なくとも周囲に第１の接着部を有する第４のシートをさらに備え、
前記第２のシートは、表面に第２の接着部を有し、かつ、裏面に第３の接着部を有し、
前記ICタグの表面から裏面に向かう方向に、前記第１のシート、前記ICタグインレット、前記第４のシート、前記第３のシート、および、前記第２のシートがその順番で配置され、
前記第１のシートの裏面と前記第４のシートの表面とが、前記ICタグインレットを挟んで、前記第１の接着部により接着され、
前記第４のシートの裏面と前記第２のシートの表面とが、前記第３のシートを挟んで、前記第２の接着部により接着され、
前記第２のシートの裏面が、前記物体の面と前記第３の接着部により接着され、
前記第２の接着部、前記第１の接着部、および、前記第３の接着部のそれぞれの接着力がその順番で順次強くなる
ことを特徴とする請求項１に記載のICタグ。
【請求項３】
前記物体は商品または前記商品を収容する物品であり、
前記ICタグインレットは、前記リーダライタにより読み書きされる情報を記憶する記憶部を有し、
前記記憶部には、少なくとも前記ICタグが接着された前記物体が正規に購入されたのか否かを示す情報が記憶される
ことを特徴とする請求項１に記載のICタグ。
【請求項４】
外表面を構成する第１のシートと、
外裏面を構成する第２のシートと、
匂いの分子を放散させる第３のシートと
を備えるタグであって、
前記第３のシートは、前記タグの前記外裏面が物体の面に接着されている状態で前記タグが前記物体から剥がされた場合に、前記タグの外部に露出して、前記匂いの分子を周囲に放散させるように、前記第１のシートと前記第２のシートとの間に配置されている
ことを特徴とするタグ。
【請求項５】
前記タグは、表面の少なくとも周囲に第１の接着部を有する第４のシートをさらに備え、
前記第２のシートは、表面に第２の接着部を有し、かつ、裏面に第３の接着部を有し、
前記タグの表面から裏面に向かう方向に、前記第１のシート、前記第４のシート、前記第３のシート、および、前記第２のシートがその順番で配置され、
前記第１のシートの裏面と前記第４のシートの表面とが、前記第１の接着部により接着され、
前記第４のシートの裏面と前記第２のシートの表面とが、前記第３のシートを挟んで、前記第２の接着部により接着され、
前記第２のシートの裏面が、前記物体の面と前記第３の接着部により接着され、
前記第２の接着部、前記第１の接着部、および、前記第３の接着部のそれぞれの接着力がその順番で順次強くなる
ことを特徴とする請求項４に記載のタグ。
【発明の詳細な説明】
【技術分野】
【０００１】
本発明は、ICタグおよびタグに関し、特に、商品や人間に悪影響を及ぼすことなく、いわゆる万引の防止をより一段と図ることができるようにしたICタグおよびタグに関する。
【背景技術】
【０００２】
近年、RFID(Radio Frequency Identification)システムが普及してきた（例えば、特許文献１参照）。RFIDシステムは、IC(Integrated Circuit)タグとリーダライタとから構成されるシステムである。
【０００３】
ICタグは、ICタグインレットがケース等に収納されて（即ち、ICタグインレットがパッケージ化されて）構成されている。換言すると、ICタグは、ICタグインレットを内蔵している。なお、本明細書においては、ICタグと、ICタグインレットが内蔵されていないタグとを明確に区別する。即ち、本明細書においては、単にタグといった場合、それは、ICタグインレットが内蔵されていないタグを指し、ICタグを含まない。
【０００４】
詳細には、RFIDシステムは、リーダライタが、ICタグ内のICタグインレットに格納された情報を非接触で読み取ったり、ICタグ内のICタグインレットに情報を非接触で書き込むシステムである。ただし、以下、ICタグとICタグインレットとを個々に区別する必要がない場合、ICタグからデータが読み書きされると表現する。
【０００５】
RFIDシステムは、様々な分野に適用可能である。例えば、店内に陳列された商品をその代金と引き換えに販売するビジネスの分野に対して、いわゆる万引きの防止を目的とするRFIDシステムを適用することが想定できる。
【０００６】
このような万引きの防止を目的とするRFIDシステムは、例えば、ICタグを商品に貼り付けるとともに、店のゲート（出入り口）の近傍とレジの近傍とのそれぞれにリーダライタを設置することで実現可能である。
【０００７】
この場合、買物客が店のレジで商品の代金を支払ったとき、即ち、買物客がその商品を正規に購入したとき、レジのリーダライタが、その商品の代金を買物客が支払済であることを示す情報（以下、支払済情報と称する）を、その商品に貼り付けられたICタグに書き込む。その後、買物客が店のゲートを通過しようとするとき、ゲートのリーダライタは、ICタグに書き込まれた支払済情報を読み取り、支払済情報の読み取りが成功したことを、ゲートの開閉を制御するゲート制御装置に通知する。このとき、ゲート制御装置はゲートを開放する。これにより、買物客はゲートを通過できる。
【０００８】
また、買物客が商品を持たないで（商品を購入しないで）ゲートを通過しようとした場合、ゲートのリーダライタは反応しない。このようにゲートのリーダライタが反応しない場合にも、ゲート制御装置はゲートを開放する。これにより、買物客はゲートを通過できる。
【０００９】
これに対して、商品を万引きしようとする者が商品を持ったままの状態でレジを通らずに（代金を支払わずに）ゲートを通過しようとした場合、商品に貼り付けられたICタグには支払済情報は書き込まれていない。従って、ゲートのリーダライタは、ICタグから支払済情報の読み取りを試みても、その試みに失敗することになる。そこで、ゲートのリーダライタは、支払済情報の読み取りに失敗したことをゲート制御装置に通知する。このとき、ゲート制御装置はゲートを遮断する。これにより、その者はゲートを通過できなくなる。このようにして、商品の万引きの防止が図られる。
【特許文献１】特開２００２−１０９５７３号公報
【発明の開示】
【発明が解決しようとする課題】
【００１０】
しかしながら、万引きをしようとする者が、ICタグを商品から剥がして棄てた後、商品を持ったままの状態でレジを通らずに（代金を支払わずに）ゲートを通過しようとした場合、ゲートのリーダライタは反応せずに、ゲート制御装置はゲートを開放してしまうことになる。その結果、その者はゲートを通過できてしまうことになる。即ち、この場合、万引きを発見できないことになる。
【００１１】
そこで、自律して電波を出力するICタグインレットを内蔵するICタグを採用して、ICタグが商品から剥がされようとした場合にICタグインレットが電波を出力するように、そのICタグを構成することで、万引き防止を図ることも想定できる。この場合、店舗内の適当な位置に配置された電波検出装置が、その電波を検出したときに警報を出力する。
【００１２】
しかしながら、万引きの犯人が、電波検出装置まで電波が届かない範囲内でICタグを剥がした場合、或いは、剥がしたICタグを棄ててその場所から速やかに遠ざかってしまったり、ICタグを剥がすときにそのICタグをシールドするなどした場合、商品の万引き防止を図ることが非常に困難になってしまう、という課題が生じてしまう。
【００１３】
さらにその他、商品の万引き防止の手法として、商品の価格等が印刷されたタグ（ICタグインレットが挿入されていないタグ）の内部にインクを充填し、そのタグを、ヒモで取り付けられている商品から取り外そうとしたとき、そのインクを、タグの外部に噴出させてそのタグが付けられている商品や万引き犯人の衣服等に付着させる、という手法が従来存在する。
【００１４】
しかしながら、この従来の手法では、商品や衣服等をインクで汚してしまう、という課題が存在する。即ち、従来の手法では、商品や人間に対して悪影響を及ぼしてしまうという課題が存在する。特に、買物客が、商品の万引きを目的としている訳ではなく、ただ単に誤ってタグを剥がそうとしてしまった場合等には、買物客の衣服等にインクが付着してしまうことになり、この課題はより顕著なものとなる。
【００１５】
本発明は、このような状況に鑑みてなされたものであり、商品や人間に悪影響を及ぼすことなく、いわゆる万引きの防止をより一段と確実に図ることができるようにするものである。
【課題を解決するための手段】
【００１６】
本発明のICタグは、外表面を構成する第１のシートと、外裏面を構成する第２のシートと、外部のリーダライタとの間で無線通信を行うことで情報を送受信するICタグインレットと、匂いの分子を放散させる第３のシートとを備えるICタグであって、ICタグインレットは、第１のシートと第２のシートとの間に配置され、第３のシートは、ICタグの外裏面が物体の面に接着されている状態でICタグが物体から剥がされた場合に、ICタグの外部に露出して、匂いの分子を周囲に放散させるように、第１のシートと第２のシートとの間に配置されている。
【００１７】
本発明のICタグにおいては、ICタグの外裏面が物体の面に接着されている状態で、万引き犯人が、ICタグを物体から剥がそうとした場合、第３のシートがICタグの外部に露出して、その第３のシートから匂いの分子が周囲に放散される。
【００１８】
これにより、犯人がICタグを壊そうとしていることを、周囲の他の人間に容易に気づかせることが可能になる。その結果、例えばICタグが接着されている物品が商品の場合、実質上、その人間は、ICタグをはがす方法でその商品を万引きすることができなくなり、その商品の万引き防止を確実に図ることができる。
【００１９】
また、このように商品の万引きを発見するための材料として、匂い（香り）が利用できるので、上述したインク等の人間や商品に対して悪影響を及ぼすおそれが少なくなる。即ち、人間や商品に対して悪影響を及ぼすことなく、商品の万引き防止を確実に図ることができる。
【００２０】
第１のシートは、例えば、紙やプラスティック等で構成することができる。第２のシートは、例えば防水性のあるシート、具体的には例えばビニールシート等で構成することができる。第３のシートは、例えば塩素分子を含む液体を含浸させたシート等で構成することができる。ICタグインレットは、例えば、RFIDシステムで採用されるICタグインレット等で構成することができる。
【００２１】
このICタグは、表面の少なくとも周囲に第１の接着部を有する第４のシートをさらに設け、第２のシートは、表面に第２の接着部を有し、かつ、裏面に第３の接着部を有し、ICタグの表面から裏面に向かう方向に、第１のシート、ICタグインレット、第４のシート、第３のシート、および、第２のシートがその順番で配置され、第１のシートの裏面と第４のシートの表面とが、ICタグインレットを挟んで、第１の接着部により接着され、第４のシートの裏面と第２のシートの表面とが、第３のシートを挟んで、第２の接着部により接着され、第２のシートの裏面が、物体の面と第３の接着部により接着され、第２の接着部、第１の接着部、および、第３の接着部のそれぞれの接着力がその順番で順次強くなるようにすることができる。
【００２２】
これにより、ICタグの外裏面が物体の面に接着されている状態で、犯人が、ICタグを物体から剥がそうとした場合、第２のシートと物体とは、接着力が一番強い第３の接着部により固定（接着）されたままで剥がされず、かつ、第１のシート、ICタグインレット、および、第４のシートも、接着力が次に強い第１の接着部によりほぼ固定（接着）されたままでほぼ剥がされない。これに対して、接着力が一番弱い第２の接着部によりこれまで第２のシートの表面と固定（接着）されていた第４のシートが、その第２のシートから剥がされてしまい、その結果、ICタグの外部に第３のシートが確実に露出することになるので、その香りの分子を周囲に確実に放散することが可能になる。
【００２３】
第４のシートは、例えば防水性のあるシート、具体的には例えばビニールシート等で構成することができる。第１の接着部乃至第３の接着部は、例えば接着剤等で構成することができる。
【００２４】
このICタグにおいて、物体は商品またはその商品を収容する物品であり、ICタグインレットは、リーダライタにより読み書きされる情報を記憶する記憶部を有し、記憶部には、少なくともICタグが接着された物体が正規に購入されたのか否かを示す情報が記憶されるようにすることができる。
【００２５】
これにより、商品の万引きを発見する材料として、第３のシートからの香りの放散に加えてさらに、商品が正規に購入されたのか否かを示す情報を利用することができるようになり、その結果、商品の万引き防止をより一段と確実に図ることができる。
【００２６】
また、商品が正規に購入されたのか否かを示す情報は電磁波で搬送されることから、人間や商品に対して悪影響を及ぼすことなく、商品の万引き防止をより一段と確実に図ることができる。
【００２７】
本発明のタグは、外表面を構成する第１のシートと、外裏面を構成する第２のシートと、匂いの分子を放散させる第３のシートとを備えるタグであって、第３のシートは、タグの外裏面が物体の面に接着されている状態でタグが物体から剥がされた場合に、タグの外部に露出して、匂いの分子を周囲に放散させるように、第１のシートと第２のシートとの間に配置されていることを特徴とする。
【００２８】
本発明のタグにおいては、タグの外裏面が物体の面に接着されている状態で、万引き犯人が、タグを物体から剥がそうとした場合、第３のシートがタグの外部に露出して、その第３のシートから匂いの分子が周囲に放散される。
【００２９】
これにより、犯人がタグを壊そうとしていることを、周囲の他の人間に容易に気づかせることが可能になる。その結果、例えばタグが接着されている物品が商品の場合、実質上、その犯人は、タグをはがす方法でその商品を万引きすることができなくなり、その商品の万引き防止を確実に図ることができる。
【００３０】
また、このように商品の万引きを発見するための材料として、匂い（香り）が利用できるので、上述したインク等の人間や商品に対して悪影響を及ぼすおそれが少なくなる。即ち、人間や商品に対して悪影響を及ぼすことなく、商品の万引き防止を確実に図ることができる。
【００３１】
第１のシートは、例えば値札シートやバーコードシール等で構成することができる。第２のシートは、例えば防水性のあるシート、具体的には例えばビニールシート等で構成することができる。第３のシートは、例えば塩素分子を含む液体を含浸させたシート等で構成することができる。
【００３２】
このタグは、表面の少なくとも周囲に第１の接着部を有する第４のシートをさらに設け、第２のシートは、表面に第２の接着部を有し、かつ、裏面に第３の接着部を有し、タグの表面から裏面に向かう方向に、第１のシート、第４のシート、第３のシート、および、第２のシートがその順番で配置され、第１のシートの裏面と第４のシートの表面とが、第１の接着部により接着され、第４のシートの裏面と第２のシートの表面とが、第３のシートを挟んで、第２の接着部により接着され、第２のシートの裏面が、物体の面と第３の接着部により接着され、第２の接着部、第１の接着部、および、第３の接着部のそれぞれの接着力がその順番で順次強くなるようにすることができる。
【００３３】
これにより、タグの外裏面が物体の面に接着されている状態で、万引き犯人が、タグを物体から剥がそうとした場合、第２のシートと物品とは、接着力が一番強い第３の接着部により固定（接着）されたままで剥がされず、かつ、第１のシートと第４のシートとも、接着力が次に強い第１の接着部によりほぼ固定（接着）されたままでほぼ剥がされない。これに対して、接着力が一番弱い第２の接着部によりこれまで第２のシートの表面と固定（接着）されていた第４のシートは、その第２のシートから剥がされてしまい、タグの外部に第３のシートが確実に露出することになるので、その香りの分子を周囲に確実に放散することが可能になる。
【００３４】
第４のシートは、例えば防水性のあるシート、具体的には例えばビニールシート等で構成することができる。第１の接着部乃至第３の接着部は、例えば接着剤等で構成することができる。
【発明の効果】
【００３５】
以上のごとく、本発明によれば、商品やその商品のパッケージ等に貼り付けることが可能なICタグやタグを供給することができる。特に、商品や人間に悪影響を及ぼすことなく、商品の万引の防止をより一段と図ることができるICタグやタグを供給することができる。
【発明を実施するための最良の形態】
【００３６】
以下、図面を参照して、本発明が適用されるICタグを利用するRFIDシステムについて説明する。
【００３７】
図１は、本発明が適用されるRFIDシステムの各構成要素の配置例を示している。このRFIDシステムは、商品の万引き防止を目的のひとつとしている。
【００３８】
図１の例では、RFIDシステムは、香りシート内蔵ICタグ２２−１および香りシート内蔵ICタグ２２−２、レジ装置２３−１乃至レジ装置２３−３、並びに、ゲート制御装置２４により構成されている。
【００３９】
図１の例の店１では、その店内に、図中左から、商品２１−１や商品２１−２等の商品が陳列される商品棚１１、それらの商品の代金を買物客が支払う場所であるレジ１２−１乃至レジ１２−３、および、買物客等が店１の内外に移動するときに通過するゲート１３が配置されている。
【００４０】
なお、商品棚１１に陳列される商品の個数は、図１の例では商品２１−１と商品２１−２の２個とされているが、当然ながら図１の例に限定されず、任意の個数でよい。レジの台数は、図１の例ではレジ１２−１乃至レジ１２−３の３台とされているが、当然ながら図１の例に限定されず、任意の台数でよい。ゲートの台数は、図１の例ではゲート１３の１台とされているが、当然ながら図１の例に限定されず、任意の台数でよい。また、商品棚１１、レジ１２−１乃至レジ１２−３、および、ゲート１３の配置位置は、当然ながら図１の例に限定されず、任意の配置位置でよい。
【００４１】
商品２１−１と商品２１−２とのそれぞれには、香りシート内蔵ICタグ２２−１と香りシート内蔵ICタグ２２−２のそれぞれが貼り付けられている。
【００４２】
なお、以下、商品２１−１と商品２１−２とを個々に区別する必要がない場合、それらをまとめて、商品２１と称する。同様に、香りシート内蔵ICタグ２２−１と香りシート内蔵ICタグ２２−２とを個々に区別する必要がない場合、それらをまとめて、香りシート内蔵ICタグ２２と称する。
【００４３】
香りシート内蔵ICタグ２２は、本発明が適用されるICタグの一実施の形態であって、その呼称の通り、香りの分子（特定の匂いを有する微粒子）を放散するシート（以下、香りシートと称する）と、ICタグインレットとが内蔵されたICタグである。
【００４４】
なお、以下、香りの分子が放散されることを、分子として捉える必要がない場合、単に香りが放散されると称する。
【００４５】
ICタグインレットは、リーダライタにより各種情報が読み書きされる。例えば、レジ１２−１乃至レジ１２−３のそれぞれに設置されたレジ装置２３−１乃至レジ装置２３−３のそれぞれのうちの１つのリーダライタが、上述した支払済情報を、香りシート内蔵ICタグ２２のICタグインレットに書き込む。例えばまた、そのICタグインレットに書き込まれた支払済情報は、ゲート１３の近傍に設置されるゲート制御装置２４のリーダライタにより読み出される。
【００４６】
また、香りシートは、揮発性の強い香料を含ませたシートであり、香りシート内蔵ICタグ２２が商品２１から剥がされた場合に外部に露出して、その香料による香りを周囲に放散するように、香りシート内蔵ICタグ２２に内蔵されている。
【００４７】
従って、商品２１を万引きしようとしている者が、香りシート内蔵ICタグ２２を商品２１から剥がした場合には、香りシートが外部に露出することになり、店１内に存在する店員や他の買物客は、香りシートから放散される香りを認識することができる。即ち、店員や他の買物客は、香りシート内蔵ICタグ２２が商品２１から剥がされたこと（商品２１の万引きの可能性があること）を容易にかつ直ちに発見することができる。
【００４８】
このように、香りシート内蔵ICタグ２２が剥がされて商品２１の万引きが行われようとした場合、その近辺に店員や他の買物客がいれば、その万引きを確実に防止することが可能になる。
【００４９】
さらに、詳細については後述するが、本実施の形態では、香りシートから放散される香り（匂い）を検出するセンサ（以下、匂いセンサと称する）が、ゲート１３またはその近傍に配置されている。従って、香りシート内蔵ICタグ２２が剥がされて商品２１の万引きが行われようとしているにも関わらず、その近辺に店員や他の買物客がたとえいない場合であっても、香りシート内蔵ICタグ２２の外部に露出した香りシートから放散される香り（匂い）は、直接的または間接的に匂いセンサにより検出される。
【００５０】
直接的に香りが検出されるとは、商品２１に貼り付けられている香りシート内蔵ICタグ２２の表面のシート（後述する図２の表面シート３１）が剥がされ、ICタグインレット（後述する図４のICタグインレット３４）が棄てられたとしても、香りシート（後述する図４の香りシート３６）がまだ貼りついている場合に、その香りシートから直接放散される香りが検出されることをいう。これに対して、間接的に香り検出されるとは、商品２１から香りシート内蔵ICタグ２２が完全に離脱してしまった場合でも、香りシートから放散された香りは商品２１や人間に付着しているので、香りシートから放散された香りが、商品２１やその人間を介して間接的に検出されることをいう。
【００５１】
この場合、ゲート制御装置２４が、例えば、その匂いセンサの検出結果を利用してゲート１３の遮断制御を行うことで、商品２１の万引きの防止をより一段と図ることが可能になる。
【００５２】
なお、香りシート内蔵ICタグ２２のさらなる詳細については、図２乃至図８を参照して後述する。
【００５３】
レジ１２−１乃至レジ１２−３のそれぞれには、レジ装置２３−１乃至レジ装置２３−３のそれぞれが設置されている。
【００５４】
レジ装置２３−１乃至レジ装置２３−３は、買物客が商品２１を購入しようとする場合、例えば、その代金の徴収やつり銭の受け渡しに必要な各種演算処理を行う。
【００５５】
レジ装置２３−１乃至レジ装置２３−３のそれぞれにはリーダライタが設けられており、それぞれのリーダライタは、店員の操作に基づいて、上述した支払済情報を、商品２１に貼り付けられた香りシート内蔵ICタグ２２内に書き込む。
【００５６】
なお、支払済情報の形態は、特に限定されないが、本実施の形態では、フラグとされている。即ち、本実施の形態では、フラグが立っていること、換言すると、そのフラグが例えば「１」を示す情報であることは、商品２１の代金が支払済であることを意味する。これに対して、本実施の形態では、フラグが降りていること、換言すると、そのフラグが例えば「０」を示す情報であることは、商品２１の代金が未払いであることを意味する。そこで、本実施の形態では、レジ装置２３−１乃至レジ装置２３−３のそれぞれのリーダライタは、支払済情報のフラグを立たせる指令を、商品２１に貼り付けられた香りシート内蔵ICタグ２２に対して送信する。そして、この指令を受けた香りシート内蔵ICタグ２２が、支払済情報のフラグを立たせる（「１」を示す情報を上書きする）。
【００５７】
なお、以下、レジ１２−１乃至レジ１２−３を個々に区別する必要がない場合、それらをまとめて、レジ１２と称する。これに伴い、レジ装置２３−１乃至レジ装置２３−３を個々に区別する必要がない場合、それらをまとめて、レジ装置２３と称する。
【００５８】
レジ装置２３のさらなる詳細については、図９乃至図１１を参照して後述する。
【００５９】
ゲート１３の近傍には、ゲート１３の開閉（図１中白抜き矢印で示される開閉）を制御するゲート制御装置２４が配置されている。詳細については図１２乃至図１８を参照して後述するが、ゲート制御装置２４には、上述した匂いセンサとリーダライタとから構成される装置（以下、匂いセンサ付リーダライタと称する）が設けられている。ゲート制御装置２４にはまた、ゲート制御装置２４全体の動作を制御する主制御部と、ゲートを駆動して開閉させるゲート駆動部とが設けられている。
【００６０】
従って、例えば、買物客が店１のレジ１２で商品２１を正規に購入した場合には、上述したように、レジ装置２３のリーダライタにより、商品２１に貼り付けられた香りシート内蔵ICタグ２２に格納された支払済情報のフラグが立つ（例えば「１」の情報が上書きされる）。この場合、買物客がゲート１３を通過しようとするとき、ゲート制御装置２４の匂いセンサ付リーダライタは、香りシート内蔵ICタグ２２に格納された支払済情報のフラグが立っていることを検出し（例えば「１」の情報を読み出し）、その検出結果（例えば「１」の情報）を主制御部に通知する。すると、主制御部は、ゲート駆動部を制御することで例えばゲート１３を開放する（遮断しない）。これにより、買物客はゲート１３を通過できるようになる。
【００６１】
また、例えば、買物客が商品を持たないで（商品を購入しないで）レジ１２を通らずにゲート１３を通過しようとした場合、匂いセンサ付リーダライタを構成する匂いセンサとリーダライタとは両者ともに反応しない。このように匂いセンサとリーダライタとの両者がともに反応しない場合にも、主制御部は、ゲート駆動部を制御することで例えばゲート１３を開放する（遮断しない）。これにより、買物客はゲート１３を通過できるようになる。
【００６２】
これに対して、例えば、商品２１を万引きしようとする者が商品２１を持ったままの状態でレジ１２を通らずに（代金を支払わずに）ゲート１３を通過しようとしたとする。この場合、商品２１に貼り付けられた香りシート内蔵ICタグ２２に格納された支払済情報のフラグは降りている（例えば「０」の情報が書き込まれている）。従って、その者がゲート１３を通過しようとするとき、ゲート制御装置２４の匂いセンサ付リーダライタは、支払済情報のフラグが降りていることを香りシート内蔵ICタグ２２から検出し（例えば「０」の情報を読み出し）、その検出結果（例えば「０」の情報）を主制御部に通知する。すると、主制御部は、ゲート駆動部を制御することで例えばゲート１３を遮断する。これにより、その者はゲートを通過できなくなる。
【００６３】
さらに例えば、仮に、万引き犯人が、商品２１の万引きを目的として、香りシート内蔵ICタグ２２を商品２１から剥がした後または剥がそうと試みた後、商品２１を持ったままの状態でレジ１２を通らずに（代金を支払わずに）ゲート１３を通過しようとしたとする。この場合、上述したように、香りシート内蔵ICタグ２２の外部に露出した香りシートからは香りが放散されている。また、香りシート内蔵ICタグ２２が商品２１から完全に剥がされて棄てられたとしても、香りシートから放散された香りは商品２１やその犯人の衣服等に付着している。即ち、商品２１や衣服等からも香りが放散されていることになる。
【００６４】
従って、匂いセンサ付リーダライタのうちの、リーダライタは反応しないが、匂いセンサは、香りシート、商品２１、または衣服等から放散される香りを検出し、その検出結果を主制御部に通知する。すると、主制御部は、ゲート駆動部を制御することで例えばゲート１３を遮断する。これにより、その人間はゲートを通過できなくなる。
【００６５】
このようにして、香りシート内蔵ICタグ２２を商品２１に貼り付けることで、支払済情報の有無（そのフラグが立っているか否か）と、香りの有無との両面から、商品２１の万引きを発見することができる。即ち、商品２１の万引きの防止をより一段と確実に図ることができる。
【００６６】
また、商品２１の万引きを発見するために利用される材料は、香りシート内蔵ICタグ２２とリーダライタとの間でやり取りされる電磁波、および、香りシート内蔵ICタグ２２から放散される香りのみである。即ち、香りシート内蔵ICタグ２２を商品２１に貼り付けることで、上述したインク等の人間や商品２１に対して悪影響を及ぼすものは一切使用せずに、商品２１の万引きの防止を図ることができる。
【００６７】
即ち、香りシート内蔵ICタグ２２を商品２１に貼り付けることで、商品２１や人間に悪影響を及ぼすことなく、万引の防止をより一段と図ることができる、という効果を奏することが可能になる。
【００６８】
以上、図１を参照して、万引き防止用の香りシート内蔵ICタグ２２を利用したRFIDシステムの概略について説明した。
【００６９】
次に、このような図１のRFIDシステムの構成要素である、香りシート内蔵ICタグ２２、レジ装置２３、および、ゲート制御装置２４のそれぞれの詳細について、その順番に個別に説明していく。
【００７０】
はじめに、図２乃至図８を参照して、香りシート内蔵ICタグ２２の詳細について説明する。
【００７１】
なお、以下、香りシート内蔵ICタグ２２の面のうちの、商品２１に貼り付けられる側の面を裏面と称し、その裏面と対向する面（反対側の面）を表面と称する。また、香りシート内蔵ICタグ２２の各構成要素についても同様に、各構成要素が有する面のうちの、香りシート内蔵ICタグ２２が商品２１に貼り付けられている場合に商品２１と向き合う面を裏面と称し、その裏面と対向する面（反対側の面）を表面と称する。
【００７２】
図２は、香りシート内蔵ICタグ２２の表面側の外観構成例を示す斜視図である。
【００７３】
図２の例では、香りシート内蔵ICタグ２２には、その外表面を構成する表面シート３１が設けられている。表面シート３１の材質は、特に限定されないが、本実施の形態では、紙またはプラスティックとされる。表面シート３１の表面（図２に図示されている面）には、商品２１の賞味期限や商品名等の情報が印刷される場合もある。
【００７４】
図３は、香りシート内蔵ICタグ２２の裏面側の外観構成例を示す斜視図である。
【００７５】
図３の例では、香りシート内蔵ICタグ２２には、その外裏面を構成する裏面シート３２が設けられている。裏面シート３２の材質は、特に限定されないが、本実施の形態では、例えば防水性を有する材質、より具体的には例えばビニールとされる。
【００７６】
後述するように、裏面シート３２の裏面（図３に図示されている面）全体には接着剤が塗布されており、この接着剤により裏面シート３２の裏面と商品２１の一面とが固定（接着）されることで、香りシート内蔵ICタグ２２が商品２１に貼り付けられる。従って、香りシート内蔵ICタグ２２が商品２１に貼り付けられる前の状態では、裏面シート３２の裏面が接着対象物（本実施の形態では商品２１）以外のものに接着されてしまうことを防止するために、その裏面に保護シート３３が仮接着されている。即ち、例えば、図１の店１の店員等は、香りシート内蔵ICタグ２２を商品２１に貼り付ける場合、裏面シート３２の裏面に仮接着されている保護シート３３を剥がしてから、裏面シート３２の裏面と商品２１の一面とを固定（接着）させる。
【００７７】
保護シート３３は、接着剤によっても強固には接着されないように表面処理されている。従って、保護シート３３は裏面シート３２に接着されてはいるが、極めて容易に剥がすことが可能となっている。
【００７８】
図４は、香りシート内蔵ICタグ２２の構成例を示すその分解図である。図４の例では、香りシート内蔵ICタグ２２は、表面から裏面に向かう方向（図中、上から下方向）に、表面シート３１、ICタグインレット３４、接着シート３５、香りシート３６、裏面シート３２、および、保護シート３３のそれぞれが、その順番に配置されて構成されている。
【００７９】
ICタグインレット３４は、上述したように、リーダライタにより各種情報が読み書きされる。即ち、本実施の形態では、このICタグインレット３４に上述した支払済情報のフラグが格納される。なお、ICタグインレット３４の詳細については図８を参照して後述する。
【００８０】
接着シート３５の表面（図４に図示されている面）のうちの、長方形の中央部分３５−２を除く周囲部分３５−１には、図５に示される接着剤４１が塗布されている。
【００８１】
図５は、香りシート内蔵ICタグ２２の表面から裏面に向かう方向の断面の構成を誇張して示す断面図である。図５においては、香りシート内蔵ICタグ２２の各構成要素の面のうちの、図中上側の面が表面となり、図中下側の面が裏面となる。
【００８２】
なお、香りシート内蔵ICタグ２２の厚さは、図５の例では全て均一とされているが、実際には、ICタグインレット３４や香りシート３６が配置される中央部分の方が、その周囲部分に比較して厚くなる。具体的には例えば、本発明人が香りシート内蔵ICタグ２２を実際に幾つか製造したところ、その中央部分の厚さは約３乃至５ｍｍとなり、その周囲部分の厚さは約１乃至２ｍｍとなった。
【００８３】
以下、図４に加えて図５も参照しつつ、香りシート内蔵ICタグ２２の構成例について引き続き説明していく。
【００８４】
上述したように、接着シート３５の表面の周囲部分３５−１には接着剤４１が塗布されている。これにより、接着シート３５の表面の周囲部分３５−１と表面シート３１の裏面の対応する部分とが接着剤４１により固定（接着）されて、ICタグインレット３４が、接着シート３５の表面の中央部分３５−２と表面シート３１の裏面との間に配置（挿入）される。即ち、表面シート３１の裏面と接着シート３５の表面とが、ICタグインレット３４を挟んで接着剤４１により固定（接着）される。
【００８５】
なお、ICタグインレット３４を接着剤４１により接着してもよい場合には、接着剤４１は、中央部分３５−２にも塗布することができる。
【００８６】
香りシート３６は、上述したように、強い香料を含ませたシートである。なお、本実施の形態では、香りシート３６は、防水コーティングされている。図１の商品棚１１が湿気の多い場所であったり、商品２１自体が湿気を多く含む場合に、その湿気により香りが弱まるのを防ぐためである。また、その湿気がICタグインレット３４まで到達してしまうことを防ぐためである。
【００８７】
なお、香りシート３６から放散される香り（匂い）は、特に限定されない。しかしながら、この匂いは、上述したように、図１の店１内に存在する店員や他の買物客に感知してもらうことを第１の目的としており、また、店員や他の買物客の衣服に付着することもある。従って、香りシート３６から放散される匂いは、店員や他の買物客となり得る人間にとって不快とならない匂いである方がよい。例えば、特定の香水や特定の食物の匂いなどは、ある人間にとっては快適な匂い（sweet smell）であったとしても、ある人間にとっては不快な匂い（bad smell）であることもあり、香りシート３６から放散される匂いとしては不適当である。換言すると、不快な匂いも人間に悪影響を及ぼすと捉えれば、香りシート３６から放散される匂いとして、このような不快な匂いを採用することは、本発明の目的に反することになる。
【００８８】
以上の内容をまとめると、香りシート３６から放散される匂いは、あまりに特殊な匂いでなく、かつ、大部分の人間にとって不快とならない匂いであると好適である。
【００８９】
そのような観点から、香りシート３６から放散される匂いは、これまでの説明においても、「匂い（smell）」と称さずに、特に「香り」と称してきた。なお、ここで言う「香り」には、快適な匂い（sweet smell）だけではなく、不快な匂いではない匂い（bad smellではないsmell）も含まれる。以下においても、香りシート３６から放散される匂いを、引き続き「香り」と称する。
【００９０】
ただし、本実施の形態のように匂いセンサが設置されている場合には、香りシート３６から放散される香りは、その匂いセンサが検出できる香りである必要がある。具体的には例えば、本実施の形態では、塩素ガス（オキシドール）が、香りシート３６から放散される香りとして採用されている。
【００９１】
このような香りシート３６の図５中下方に配置される裏面シート３２において、その裏面全体には、上述したように、商品２１と接着するための接着剤４３が塗布されており、さらに、その表面全体には、接着剤４２が塗布されている。従って、裏面シート３２の表面と接着シート３５の裏面とが、香りシート３６をほぼ中央に挟んで、接着剤４２により固定（接着）されることになる。即ち、香りシート３６は、接着シート３５の裏面と裏面シート３２の表面との間に配置（挿入）され、その裏面は、裏面シート３２の表面と接着剤４２により固定（接着）される。
【００９２】
なお、本実施の形態では例えば、裏面シート３２と接着シート３５との材質は同一であるとする。即ち、裏面シート３２と接着シート３５との材質は、上述したように、防水性を有する材質、より具体的には例えばビニールであるとする。この場合、裏面シート３２と接着シート３５とからなるビニールパッケージ（ビニール袋）の中に、香りシート３６がその香りとともに封入されていると捉えることができる。
【００９３】
また、以下、接着剤４１の全体をまとめて、接着部４１とも称する。同様に、接着剤４２の全体をまとめて接着部４２とも、接着剤４３の全体をまとめて接着部４３とも、それぞれ称する。
【００９４】
即ち、接着部４１が、表面シート３１の裏面と接着シート３５の表面の周囲部分３５−１とを固定（接着）し、その結果、表面シート３１の裏面と接着シート３５の表面の周囲部分３５−２との間にできる空隙に、ICタグインレット３４が配置（挿入）される。また、接着部４２が、裏面シート３２の表面と、接着シート３５の裏面および香りシート３６の裏面のそれぞれとを固定（接着）する。また、接着部４３が、裏面シート３２の裏面と商品２１の一面とを固定（接着）する。
【００９５】
ここで注目すべき点は、接着部４１、接着部４２、および接着部４３の接着力は、同一ではなく、接着部４２が一番弱く、接着部４１がその次に弱く（中程度であり）、かつ、接着部４３が一番強くなっている点である。なお、以下、接着部４３の接着力を接着力強と、接着部４１の接着力を接着力中と、接着部４２の接着力を接着力弱と、それぞれ称する。
【００９６】
この構成により、香りシート内蔵ICタグ２２が商品２１から剥がされた場合に香りシート３６は確実に外部に露出することになり、香りシート３６からの香りが確実に周囲に放散されるのである。
【００９７】
詳細には、図１の商品２１が商品棚１１に陳列されている状態では、香りシート内蔵ICタグ２２は、図６に示されるように商品２１に貼り付けられており、人間の目には、表面シート３１の表面のみが視認され、香りシート３６は視認されない。即ち、図６は、商品２１のうちの、香りシート内蔵ICタグ２２が貼り付けられた面側の外観構成例を示している。
【００９８】
商品２１を万引きしようとする者が、図６に示される香りシート内蔵ICタグ２２を商品２１から剥がそうとしたとする。この場合、図５において、接着力弱である接着部４２、接着力中である接着部４１、および、接着力強である接着部４３の順番で、それらにより接着されている物同士が剥がれやすくなる。逆に言えば、接着力強である接着部４３、接着力中である接着部４１、および、接着力弱である接着部４２の順番で、それらにより接着されている物同士が剥がれにくくなる。
【００９９】
従って、図７に示されるように、裏面シート３２と商品２１とは、接着力強である接着部４３（図７には図示せず）により剥がされず、かつ、表面シート３１、ICタグインレット３４、および、接着シート３５も、接着力中である接着部４１（図７には図示せず）によりほぼ剥がされない。これに対して、接着力小である接着部４２（図７には図示せず）によりこれまで裏面シート３２の表面と固定（接着）されていた接着シート３５は、その裏面シート３２の表面から剥がされてしまい、その結果、香りシート３６が外部に露出し、その香りの分子５１が周囲に放散することになる。なお、以下、香りの分子５１も、香り５１と適宜称する。
【０１００】
換言すると、上述したように、裏面シート３２と接着シート３５とからなるビニールパッケージ（ビニール袋）の中に、香りシート３６の香り５１が封入されていたと捉えた場合には、香りシート内蔵ICタグ２２が商品２１から剥がされると、そのビニールパッケージが破れてしまい、その結果、そのビニールパッケージに封入されていた香りシート３６の香り５１が周囲に放散するといえる。
【０１０１】
このように、接着力強の接着部４３、接着力中の接着部４１、および、接着力弱の接着部４２のそれぞれを採用することで、香りシート内蔵ICタグ２２が商品２１から剥がされた場合に、香りシート３６を確実に外部に露出させ、香りシート３６から香り５１を確実に周囲に放散させることが可能になる。
【０１０２】
ここで、図８を参照して、このような香りシート内蔵ICタグ２２のうちの、ICタグインレット３４の詳細な構成例について説明する。即ち、図８は、ICタグインレット３４の詳細な構成例を示している。
【０１０３】
図８の例では、ICタグインレット３４は、アンテナ６１とICチップモジュール６２とから構成されている。また、ICチップモジュール６２は、ASK（Amplitude Shift Keying)変復調部７１、BPSK(Binary Phase Shift Keying)変復調部７２、CPU（Central Processing Unit）７３、およびEEPROM（Electrically Erasable and Programmable Read Only Memory）７４から構成されている。
【０１０４】
ASK変復調部７１は、アンテナ６１を介して入力された変調波（ASK変調波）を検波して復調し、復調後のデータ（例えば、図１のレジ装置２３のリーダライタから供給された、支払済情報のフラグを立たせる指令等）を、BPSK変復調部７２に供給する。BPSK変復調部７２は、ASK変復調部７１から供給されるデータのBPSK復調（マンチェスタコードのデコード）を行い、その結果得られるデータをCPU７３に供給する。
【０１０５】
CPU７３は、BPSK変復調部７２から供給されたデータに基づく所定の処理を実行する。例えば、CPU７３は、BPSK変復調部７２から供給された支払済情報のフラグを立たせる指令に基づいて、EEPROM７４に記憶されている支払済情報のフラグを立たせる（例えば「１」を示す情報を上書きする）。
【０１０６】
EEPROM７４は、不揮発性のメモリである。ICタグインレット３４が、図１のレジ装置２３やゲート制御装置２４のリーダライタとの通信を終了し、その電力供給が停止された後も、EEPROM７４は、データ（支払済情報のフラグ等）を記憶し続けることができる。
【０１０７】
一方、ICタグインレット３４から図１のゲート制御装置２４等のリーダライタへデータ（例えば支払済情報のフラグである「０」または「１」を示す情報等）を送信する場合には、CPU７３は、EEPROM７４から対象のデータを読み出し、BPSK変復調部７２に供給する。BPSK変復調部７２は、CPU７３から供給されたデータをBPSK変調し、変調後のデータをASK変復調部７１に供給する。ASK変復調部７１は、BPSK変復調部７２から供給されたデータに対応して、例えば、図示しない所定のスイッチング素子に対するオン／オフ制御を実行する。オン／オフ制御とは、スイッチング素子の状態を、所定のタイミングで、オン状態からオフ状態へ遷移させたり、或いは、オフ状態からオン状態へ遷移させる制御のことをいう。
【０１０８】
スイッチング素子の状態がオン状態である場合には、所定の負荷がアンテナ６１に並列に接続され、また、オフ状態の場合にはその接続が切れる。従って、ASK変復調部７１がスイッチング素子に対するオン／オフ制御を実行することによって、アンテナ６１の負荷が変動する。このようにして、ASK変復調部７１は、アンテナ６１の負荷を変動させることにより、アンテナ６１を介して受信している変調波をASK変調し、その変調波を、アンテナ６１を介して、図１のゲート制御装置２４等のリーダライタ側のアンテナに送信する。
【０１０９】
逆に言えば、ゲート制御装置２４等のリーダライタは、ICタグインレット３４からデータを受信するとき、即ち、ICタグインレット３４に所定のデータを送信させるとき、変調波の最大振幅を一定にして変調波（キャリア）を出力する。このリーダライタが出力する変調波（キャリア）が、ICタグインレット３４のアンテナ６１の負荷の変動によりASK変調（負荷変調）されることになる。
【０１１０】
なお、ICタグインレット３４の中には、電源としてバッテリを搭載しているものも存在する。この場合、このバッテリからICタグインレット３４の各部に対して電力が供給される。ただし、本実施の形態では、ICタグインレット３４の各部への電力の供給方法は例えば次の通りであるとする。即ち、本実施の形態のICタグインレット３４は、コイルとなるアンテナ６１および図示しないコンデンサにより構成されるＬＣ回路を有しており、このＬＣ回路において、リーダライタ側のアンテナが放射した電磁波の一部が電気信号に変換される。さらに、本実施の形態のICタグインレット３４において、その電気信号（変調波）が整流平滑化されることで包絡線検波が行われ、その結果得られる信号が図示しない電圧レギュレータに供給されて安定化され、その結果得られる直流電圧の信号（それによる電力）がICタグインレット３４の各部に供給される。
【０１１１】
以上のように構成されるICタグインレット３４と、図１のレジ装置２３またはゲート制御装置２４のリーダライタとの間で、支払済情報のフラグ自身やそのフラグを立たせる指令等の各種情報が、電磁波を媒体として送受信されることになる。
【０１１２】
以上、図至２乃図８を参照して、図１のRFIDシステムのうちの香りシート内蔵ICタグ２２の詳細について説明した。
【０１１３】
次に、図９乃至図１１を参照して、図１のRFIDシステムのうちのレジ装置２３の詳細について説明する。
【０１１４】
図９は、レジ装置２３の構成例を示している。図９の例では、レジ装置２３は、主制御部８１とリーダライタ８２とから構成されている。
【０１１５】
主制御部８１の詳細な構成例が図１０のブロック図に、リーダライタ８２の詳細な構成例が図１１のブロック図に、それぞれ示されている。そこで、以下、図１０と図１１とのそれぞれを参照して、主制御部８１とリーダライト８２とのそれぞれの詳細な構成例について、その順番に個別に説明していく。
【０１１６】
図１０の例の主制御部８１において、CPU９１は、ROM（Read Only Memory）９２に記録されているプログラム、または記憶部９８からRAM（Random Access Memory）９３にロードされたプログラムに従って各種の処理を実行する。RAM９３にはまた、CPU９１が各種の処理を実行する上において必要なデータなども適宜記憶される。
【０１１７】
CPU９１、ROM９２、およびRAM９３は、バス９４を介して相互に接続されている。このバス９４にはまた、入出力インタフェース９５も接続されている。
【０１１８】
入出力インタフェース９５には、図１の商品２１の代金をレジ担当者が手動入力する数値キー等を含む入力部９６、商品２１の代金等を表示する表示部を含む出力部９７、ハードディスクなどよりなる記憶部９８、および、モデムやターミナルアダプタなどよりなる通信部９９が接続されている。
【０１１９】
通信部９９は、リーダライタ８２との間の通信を制御する。具体的には例えば、通信部９９は、CPU９１の制御に基づいて、上述した支払済情報のフラグを立たせる指令等を、リーダライタ８２に送信する。通信部９９はまた、必要に応じて、インターネットを含む図示せぬネットワークを介して図示せぬ他の装置との間の通信を制御する。
【０１２０】
入出力インタフェース９５にはまた、必要に応じてドライブ１００が接続され、磁気ディスク、光ディスク、光磁気ディスク、或いは半導体メモリなどよりなるリムーバブル記録媒体１０１が適宜装着され、そのリムーバブル記録媒体１０１から読み出されたコンピュータプログラムが、必要に応じて記憶部９８にインストールされる。
【０１２１】
以上、図１０を参照して、図９のレジ装置２３のうちの主制御部８１の詳細な構成例について説明した。次に、図１１を参照して、レジ装置２３のうちのリーダライタ８２の詳細な構成例について説明する。
【０１２２】
図１１の例では、リーダライタ８２は、コントローラ１１１とアンテナ１１２とから構成されている。また、コントローラ１１１は、DPU（Data Processing Unit）１２１、バス１２２、SPU（Signal Processing Unit）１２３、SCC（Serial Communication Controller）１２４、メモリ１２５、復調部１２６、変調部１２７、および発振部１２８から構成されている。
【０１２３】
DPU１２１は、バス１２２を介して、SPU１２３、SCC１２４、およびメモリ１２５のそれぞれと相互に接続されている。
【０１２４】
DPU１２１は、バス１２２と、SPU１２３またはSCC１２４とを介して、図９等の香りシート内蔵ICタグ２２、または、主制御部８１との間で各種の情報（制御信号を含むデータ）を送受信し、その情報に応じた処理を実行する。例えば、DPU１２１は、バス１２２およびSCC１２４を介して、主制御部８１から送信されてくる上述した支払済情報のフラグを立たせる指令等を受信する。そして、DPU１２１は、バス１２２およびSPU１２３を介して、支払済情報のフラグを立たせる指令等を、香りシート内蔵ICタグ２２に送信する。
【０１２５】
SPU１２３は、香りシート内蔵ICタグ２２と送受信するデータに対して所定の処理を施す。即ち、SPU１２３は、アンテナ１１２および復調部１２６を介して香りシート内蔵ICタグ２２から受信した情報や、変調部１２７に出力する情報（支払済情報のフラグを立たせる指令等）に対して、例えば、上述したBPSK変調などの処理を施す。
【０１２６】
SCC１２４は、主制御部８１との間で情報の送受信を行う。例えば、SCC１２４は、主制御部８１ら送信されてきた支払済情報のフラグを立たせる指令等を受信し、バス１２２を介してDPU１２１に供給する。
【０１２７】
メモリ１２５は、DPU１２１が実行する処理に必要な情報を予め記憶したり、処理途中のデータを一時的に記憶する。
【０１２８】
復調部１２６は、アンテナ１１２を介して香りシート内蔵ICタグ２２から受信した変調波（例えば、上述したASK変調波）を復調し、その結果得られる各種の情報をSPU１２３に供給する。
【０１２９】
変調部１２７は、発振部１２８より供給される所定の周波数の搬送波を、SPU１２３から供給される情報（支払済情報のフラグを立たせる指令等）に基づいて、例えば上述したASK変調し、その結果得られるASK変調波をアンテナ１１２を介して出力する。これにより、アンテナ１１２では、支払済情報のフラグを立たせる指令等が、電磁波として香りシート内蔵ICタグ２２に送信される。なお、このとき、変調部１２７は、変調度を１未満にしてASK変調を行うようになされており、これにより、データがローレベルのときにおいてもASK変調波の最大振幅がゼロにならないようになされている。
【０１３０】
発振部１２８は、例えば、１３．５６ＭＨｚなどの所定の周波数の搬送波を変調部１２７に送信する。
【０１３１】
以上、図１１を参照して、図９のレジ装置２３のうちのリーダライタ８２の詳細な構成例について説明した。即ち、以上、図９乃至図１１を参照して、図９のレジ装置２３の詳細な構成例について説明した。
【０１３２】
係る構成のレジ装置２３の動作の概略は次の通りである。
【０１３３】
即ち、上述したように、レジ装置２３の主制御部８１は、買物客が図１の商品２１を購入しようとする場合、例えば、その代金の徴収やつり銭の受け渡しに必要な各種演算処理を行う。
【０１３４】
例えば、ICチップモジュール６２のEEPROM７４には、その香りシート内蔵ICタグ２２が貼り付けられている商品２１のIDが記憶されており、そのIDに対応する価格が、主制御部８１の記憶部９８に記憶されている。CPU９１は、読み取られたIDに対応する価格を検索することで、その商品の代金を演算する。
【０１３５】
そして、本実施の形態では、レジ装置２３のリーダライタ８２は、主制御部８１の制御に基づいて、支払済情報のフラグを立たせる指令を、商品２１に貼り付けられた香りシート内蔵ICタグ２２に送信する。すると、香りシート内蔵ICタグ２２は、この指令を受けて、支払済情報のフラグを立たせる（「１」を示す情報を上書きする）。
【０１３６】
次に、図１２乃至図１８を参照して、図１のRFIDシステムのうちのゲート制御装置２４の詳細について説明する。
【０１３７】
図１２は、ゲート制御装置２４の構成例を示している。図１２の例では、ゲート制御装置２４は、ゲート制御装置２４全体の動作を制御する主制御部１５１、ゲート１３を図中白抜きの両矢印方向に駆動して開閉させるゲート駆動部１５２、および、匂いセンサ付リーダライタ１５３から構成されている。
【０１３８】
主制御部１５１の詳細な構成例については図１３に示されている。即ち、図１３は、主制御部１５１の詳細な構成例を示している。図１３と上述した図１０とを比較するに、図１３の主制御部１５１は、図１０の主制御部８１と基本的に同様の構成を有している。即ち、図１３のCPU１６１乃至リムーバブル記録媒体１７１のそれぞれは、図１０のCPU９１乃至リムーバブル記録媒体１０１のそれぞれと基本的に同様の機能と構成とを有している。従って、図１３の主制御部１５１の詳細な構成例の説明は、基本的に上述した図１０の主制御部８１の詳細な構成例の説明と同様になるので、ここでは省略する。ただし、通信部１６９は、ゲート駆動部１５２と匂いセンサ付リーダライタ１５３とのそれぞれとの間の通信を制御する。
【０１３９】
図１２のゲート制御装置２４のうちの匂いセンサ付リーダライタ１５３の外観の構成は、例えば、図１４と図１５に示されるようになる。即ち、図１４と図１５とのそれぞれは、匂いセンサ付リーダライタ１５３の外観の構成例を示す斜視図である。ただし、図１４は、ケース１５３−１に覆われた状態の匂いセンサ付リーダライタ１５３の外観の構成例を示しており、図１５は、ケース１５３−１が外された状態の匂いセンサ付リーダライタ１５３の外観の構成例を示している。このような外観の構成を有する匂いセンサ付リーダライタ１５３は、例えば図１６のような外観の構成を有するゲート１３に取り付け可能とされている。即ち、図１６は、ゲート１３の外観の構成例を示している。
【０１４０】
また、匂いセンサ付リーダライタ１５３の内部の詳細な構成は、例えば図１７に示されるようになる。即ち、図１７は、匂いセンサ付リーダライタ１５３の内部の詳細な構成例を示している。図１７と上述した図１１とを比較するに、図１７の匂いセンサ付リーダライタ１５３は、匂いセンサ２０３を除いて、図１１のリーダライタ８２と基本的に同様の構成を有している。即ち、図１７のコントローラ２０１およびアンテナ２０２並びにDPU２１１乃至発振部２１８のそれぞれは、図１１のコントローラ１１１およびアンテナ１１２並びにDPU１２１乃至発振部１２８のそれぞれと基本的に同様の機能と構成とを有している。従って、図１７のコントローラ２０１およびアンテナ２０２並びにDPU２１１乃至発振部２１８の個々の説明は、図１１の対応するブロックについての上述した説明と基本的に同様になるので、ここでは省略する。
【０１４１】
ただし、ゲート制御装置２４の図１７の匂いセンサ付リーダライタ１５３と、レジ装置２３の図１１のリーダライタ８２との間の差異として、その動作、および、匂いセンサ２０３の付属有無が主に存在する。
【０１４２】
即ち、レジ装置２３のリーダライタ８２は基本的に、上述したように、香りシート内蔵ICタグ２２に対して、支払済情報のフラグを立たせる指令を送信する。換言すると、レジ装置２３のリーダライタ８２は、香りシート内蔵ICタグ２２に格納されている支払済情報のフラグを立たせる（例えば「１」の情報を上書きする）動作を行う。これに対して、ゲート制御装置２４のリーダライタ１５３は基本的に、上述したように、香りシート内蔵ICタグ２２に格納されている支払済情報のフラグ（例えば「１」または「０」の情報）を読み出して、主制御部１５１に供給する動作を行う。
【０１４３】
また、レジ装置２３のリーダライタ８２には、匂いセンサが設けられていない。これに対して、ゲート制御装置２４のリーダライタ１５３には、図１７に示されるように、匂いセンサ２０３がバス２１２に接続されている。
【０１４４】
即ち、上述したように、万引き犯人が、香りシート内蔵ICタグ２２を商品２１から剥がした後、商品２１を持ったままの状態でレジ１２を通らずに（代金を支払わずに）ゲート１３を通過しようとしたとする。この場合、香りシート内蔵ICタグ２２の外部に露出した香りシート３６からの図７の香り５１は、直接的または間接的にゲート１３の周囲に放散されることになる。
【０１４５】
そこで、匂いセンサ２０３は、この香り５１を検出し、その検出結果をバス２１２を介してDPU２１１に供給する。DPU２１１は、匂いセンサ２０３の検出結果を、バス２１２とSCC２１４とを介して主制御部１５１に供給する。すると、主制御部１５１は、図１２のゲート駆動部１５２を制御して、ゲート１３を遮断する。これにより、その万引き犯人は、ゲート１３を通過できなくなる。そして、警備員等は、ゲート１３を通過できないその犯人を捕まえることができる。
【０１４６】
このように、匂いセンサ２０３は、香りシート３６から直接的または間接的に放散される香り５１を検出可能な形態であれば足りる。具体的には例えば、本実施の形態では、上述したように、香りシート３６から直接的または間接的に放散される香り５１は塩素ガスとされており、匂いセンサ２０３は、塩素分子（Cl2）を検出可能なセンサであるとされている。この場合、塩素分子を検出可能なセンサ、即ち、匂いセンサ２０３として、例えば、塩素ガス腐食試験を行うために利用されている塩素ガス濃度測定装置を採用することができる。より具体的には例えば、匂いセンサ２０３として、定電流電解式の塩素ガス濃度測定装置を採用することができる。定電流電解式の塩素ガス濃度測定装置は、例えば図示はしないが、反応管、反応液の電解装置、および、電子回路制御部等から構成されており、0.01乃至10 ppm程度の塩素ガス（その濃度）を検出することができる。
【０１４７】
以上、図１２乃至図１７を参照して、図１のRFIDシステムのうちのゲート制御装置２４の詳細な構成例について説明した。
【０１４８】
次に、図１８のフローチャートを参照して、このような構成のゲート制御装置２４の処理例について説明する。即ち、図１８は、ゲート制御装置２４の処理の一例を説明するフローチャートである。
【０１４９】
図１８のステップＳ１において、図１２のゲート制御装置２４の主制御部１５１は、ゲート駆動部１５２を制御することで、ゲート１３を開放する。即ち、図１８の処理例では、ゲート１３の初期状態は、開放状態とされている。
【０１５０】
ステップＳ２において、主制御部１５１は、匂いセンサ付リーダライタ１５３の図１７の匂いセンサ２０３が図７の香り５１を検出したか否かを判定する。
【０１５１】
匂いセンサ付リーダライタ１５３から主制御部１５１に対して匂いセンサ２０３の検出結果が供給されてきた場合、ステップＳ２において、匂いセンサ２０３が香り５１を検出したと判定され、処理はステップＳ５に進む。ステップＳ５以降の処理については後述する。
【０１５２】
これに対して、匂いセンサ付リーダライタ１５３から主制御部１５１に対して匂いセンサ２０３の検出結果が供給されてこない場合、ステップＳ２において、匂いセンサ２０３が香り５１を検出していないと判定され、処理はステップＳ３に進む。
【０１５３】
ステップＳ３において、主制御部１５１は、香りシート内蔵ICタグ２２から支払済情報のフラグを取得したか否かを判定する。
【０１５４】
匂いセンサ付リーダライタ１５３から主制御部１５１に対して特に何の情報も供給されてこない場合、ステップＳ３において、香りシート内蔵ICタグ２２から支払済情報のフラグを取得していないと判定されて、処理はステップＳ７に進む。
【０１５５】
ステップＳ７において、主制御部１５１は、処理の終了が指示されたか否かを判定する。
【０１５６】
ステップＳ７の判定条件は、特に限定されない。ただし、本実施の形態では例えば、図１の店１の店員等が、閉店するタイミング等でゲート制御装置２４の図示せぬ電源の状態をオフ状態にしたとき、処理の終了が指示されたと判定されるとする。
【０１５７】
従って、本実施の形態では、ゲート制御装置２４の電源の状態がオフ状態に遷移した場合、ステップＳ７において、処理の終了が指示されたと判定されて、ゲート制御装置２４の処理は終了となる。
【０１５８】
これに対して、本実施の形態では、ゲート制御装置２４の電源の状態がオン状態を維持している限り、ステップＳ７において、処理の終了がまだ指示されていないと判定されて、処理はステップＳ１に戻され、ゲート１３が開放された後、ステップＳ２以降の処理が繰り返し実行される。なお、ステップＳ７において処理の終了がまだ指示されていないと判定された時点でゲート１３の状態が既に開放状態である場合、ステップＳ１の処理では、その開放状態を維持する処理が実行されて、ステップＳ２以降の処理が繰り返し実行される。
【０１５９】
具体的には例えば、匂いセンサ付リーダライタ１５３から主制御部１５１に対して特に何の情報も供給されずに、ステップＳ３の処理で香りシート内蔵ICタグ２２から支払済情報のフラグを取得していないと判定される場合とは、ゲート１３を通過しようとしている者が誰もいない場合、または、買物客が商品２１を持たずに（購入せずに）ゲート１３を通過しようとしている場合を意味する。このような場合であって、ゲート制御装置２４の電源の状態がオン状態である場合には、処理はステップＳ１に戻され、ゲート１３が開放される（その状態が開放状態のまま維持される）のである。
【０１６０】
これに対して、香りシート内蔵ICタグ２２が貼り付けられている商品２１を持っている者が（代金支払済であるか否かは問わず）ゲート１３を通過しようとしている場合、上述したように、匂いセンサ付リーダライタ１５３は、その香りシート内蔵ICタグ２２から支払済情報のフラグ（例えば「１」または「０」を示す情報）を読み出し、主制御部１５１に供給する。このような場合、ステップＳ３において、香りシート内蔵ICタグ２２から支払済情報のフラグを取得したと判定されて、処理はステップＳ４に進む。
【０１６１】
ステップＳ４において、主制御部１５１は、支払済情報のフラグが立っているか否かを判定する。即ち、ステップＳ４において、主制御部１５１は、支払済情報のフラグが例えば「１」を示す情報であるか否かを判定する
【０１６２】
ステップＳ４において、支払済情報のフラグが立っていると判定された場合、処理はステップＳ７に進み、それ以降の処理が繰り返される。
【０１６３】
具体的には例えば、ステップＳ４において支払済情報のフラグが立っていると判定された場合とは、上述したように、図９のレジ装置２３のリーダライタ８２が、商品２１に貼り付けられた香りシート内蔵ICタグ２２に格納されている支払済情報のフラグを立たせた場合（例えば「１」の情報を上書きさせた場合）、即ち、買物客がその商品２１の代金を支払って正規に購入した場合を意味している。このような場合であって、ゲート制御装置２４の電源の状態がオン状態である場合には、処理はステップＳ１に戻され、ゲート１３が開放されるのである。
【０１６４】
これに対して、ステップＳ４において、支払済情報のフラグが立っていないと判定された場合、即ち、支払済情報のフラグが降ろされている場合（例えば「０」を示す情報である場合）、処理はステップＳ５に進む。
【０１６５】
以上説明したように、ステップＳ４の処理で支払済情報のフラグが立っていないと判定された場合、または、ステップＳ２の処理で匂いセンサ２０３が香り５１を検出したと判定された場合、処理はステップＳ５に進む。
【０１６６】
具体的には例えば、ステップＳ４の処理で支払済情報のフラグが立っていないと判定された場合とは、上述したように、人間が商品２１を持ったままの状態でレジ１２を通らずにゲート１３を通過しようとしている場合、即ち、犯人が商品２１を万引きしようとしている可能性がある場合を意味している。
【０１６７】
また例えば、ステップＳ２の処理で匂いセンサ２０３が香り５１を検出したと判定された場合とは、上述したように、香りシート内蔵ICタグ２２が商品２１から剥がされた場合、即ち、上述したように、犯人が、商品２１を万引きしようとして、香りシート内蔵ICタグ２２を商品２１から剥がした後、商品２１を持ったままの状態でレジ１２を通らずに（代金を支払わずに）ゲートを通過しようとしている可能性がある場合を意味している。
【０１６８】
このような場合、ステップＳ５において、主制御部１５１は、ゲート駆動部１５２を制御することで、ゲート１３を遮断する。これにより、その者はゲート１３を通過できなくなるので、商品２１の万引きが確実に防止される。
【０１６９】
ステップＳ６において、主制御部１５１は、ゲート１３の遮断解除が指示されたか否かを判定する。
【０１７０】
ステップＳ６の判定条件は、特に限定されない。ただし、本実施の形態では例えば、図１の店１の店員等が、図１３の主制御部１５１の入力部１６６から、ゲートの遮断解除の指令を入力してきたとき、ゲートの遮断解除が指示されたと判定されるとする。
【０１７１】
従って、本実施の形態では、ゲートの遮断解除の指令が入力部１６６から入力されてこない場合、ステップＳ６において、ゲート１３の遮断解除がまだ指示されていないと判定されて、処理はステップＳ５に戻される。即ち、ゲートの遮断解除の指令が入力部１６６から入力されてくるまでの間、ステップＳ５とＳ６とのループ処理が繰り返し実行されて、ゲート１３の状態が遮断状態のまま維持される。
【０１７２】
その後、ゲートの遮断解除の指令が入力部１６６から入力されてくると、ステップＳ６において、ゲート１３の遮断解除が指示されたと判定され、処理はステップＳ７に進み、それ以降の処理が繰り返される。即ち、このとき、ゲート制御装置２４の電源状態がオン状態であるならば、ステップＳ７において、処理の終了がまだ指示されていないと判定されて、処理はステップＳ１に戻され、ゲート１３が再び開放されるのである。
【０１７３】
以上、図１８を参照して、ゲート制御装置２４の処理例について説明した。
【０１７４】
なお、図１８の例のゲート制御装置２４の処理では、上述した他の例とあわせて、ステップＳ５の処理でゲート制御装置２４がゲート１３を遮断するようにしたが、ステップＳ５の処理は、万引き防止を目的とする処理であれば任意の処理でよい。具体的には例えば、ゲート制御装置２４は、ステップＳ５の処理として、図示せぬ警報を鳴らしてもよいし、或いは、商品２１の万引きが行われようとしていることを、警備員等が管理する図示せぬ端末に通知してもよい。
【０１７５】
ところで、以上説明した図１等の香りシート内蔵ICタグ２２、または、それを利用する図１のRFIDシステムを採用することで、上述した内容の繰り返しであるが、例えば次の第１の効果乃至第３の効果を奏することが可能になる。
【０１７６】
即ち、商品２１を万引きしようとする者が、香りシート内蔵ICタグ２２を商品２１から剥がそうとすると、図７に示されるように香りシート３６が外部に露出し、その香りシート３６から放散される香り５１が周囲に放散される。これにより、その者が香りシート内蔵ICタグ２２を壊そうとしていることを、周囲の他人が気づくことになる。その結果、実質上、その者は、香りシート内蔵ICタグ２２を剥がす方法で商品２１を万引きすることができなくなるので、商品２１の万引き防止を確実に図ることができる、という第１の効果を奏することが可能になる。
【０１７７】
また、図１のゲート１３またはその近傍には図１７の匂いセンサ２０３が設置されている。従って、犯人が、香りシート内蔵ICタグ２２を商品２１から剥がそうとした場合、たとえその時点で周囲に他人がいないとしても、匂いセンサ２０３が、香りシート内蔵ICタグ２２から露出した香りシート３６から放散される香り５１を直接的または間接的に検出して、その検出結果を図１２の主制御部１５１に通知することができる。そして、主制御部１５１は、この検出結果を受けて、ゲート駆動部１５２を制御することでゲート１３を遮断することができる。その結果、犯人がゲート１３を通過できなくなる。このように、ゲート１３またはその近傍に匂いセンサ２０３を設置することで、商品２１の万引き防止をより一段と確実に図ることができる、という第２の効果を奏することが可能になる。
【０１７８】
また、図１のRFIDシステムにおいては、商品２１の万引きを発見するための材料として、香りシート内蔵ICタグ２２と図９のリーダライタ８２または図１２の匂いセンサ付リーダライタ１５３との間でやり取りされる電磁波、および、香りシート内蔵ICタグ２２の香りシート３６から放散される香り５１のみが利用される。即ち、図１のRFIDシステムでは、上述したインクの他、爆発物等、人間や商品２１に対して悪影響を及ぼす物を一切使用せずに、商品２１の万引きの防止を図ることができる、という第３の効果を奏することが可能になる。
【０１７９】
さらに、香りシート内蔵ICタグ２２、または、それを利用する図１のRFIDシステムを採用することで、例えば次の第４の効果乃至第７の効果を奏することが可能になる。
【０１８０】
即ち、従来のICタグに内蔵されたICタグインレットは、金属または水分を含んだ商品にその従来のICタグが貼り付けられてしまうと、リーダライタとの交信が実質上不可能になる。これに対して、香りシート内蔵ICタグ２２では、上述した図４や図５に示されるように、ICタグインレット３４と商品２１との間には香りシート３６等が介在するので、ICタグインレット３４と商品２１とは接せずに所定の距離だけ離間している。その結果、金属または水分を含んだ商品２１に香りシート内蔵ICタグ２２がたとえ貼り付けられている場合であっても、ICタグインレット３４は、図９のリーダライタ８２や図１２の匂いセンサ付リーダライタ１５３といったリーダライタとの間の交信を良好に行うことができる、という第４の効果を奏することが可能になる。特に、本実施の形態では、香りシート３６をはじめとして、接着シート３５、および、裏面シート３２は防水性を有しているので、水分を含む商品２１に香りシート内蔵ICタグ２２が貼り付けられた場合に、この第４の効果はより顕著になる。
【０１８１】
なお、香りシート内蔵ICタグ２２の装着対象物は、上述した例では、商品２１そのものとされたが、当然ながら上述した例に限定されず任意な物でよい。具体的には例えば、商品２１がパッケージに収容されていたり、箱に収容されている場合には、図１の店１の店員等は、パッケージまたは箱の上に香りシート内蔵ICタグ２２を貼り付けることができる。
【０１８２】
香りシート内蔵ICタグ２２の図８のEEPROM７４には、商品２１の商品名と賞味期限を記憶させておくことができる。例えば商品２１が瓶詰めのジャムである場合、瓶に貼り付けられている香りシート内蔵ICタグ２２に記憶されている商品名と賞味期限とを、冷蔵庫に取り付けられているリーダライタで読み取らせて記憶させ、瓶はそのまま冷蔵庫に収容させる。これにより、必要に応じて、記憶されている商品名と賞味期限を表示させることで、冷蔵庫に収容されている物を効果的に管理することができる、という第５の効果を奏することが可能になる。
【０１８３】
しかも、香りシート内蔵ICタグ２２は上述したようにバッテリが不要であるので、即ち、バッテリが不要なICタグインレット３４が香りシート内蔵ICタグ２２に内蔵されているので、商品２１の在庫や賞味期限等を低コストで管理できる、という第６の効果を奏することが可能になる。
【０１８４】
さらに、コストの観点からすると、上述した図４や図５に示されるように、香りシート内蔵ICタグ２２は、その仕組みが単純であるため、加工コストも低く抑えることができる、という第６の効果を奏することが可能になる。
【０１８５】
このように、第１の効果乃至第３の効果とは、結局、万引き防止という目的を達成するための効果である。これに対して、第４の効果乃至第７の効果は、万引き防止という目的を掲げているか否かに特に依然せず、様々な分野に適用することが容易かつ効果的に可能になるという効果である。
【０１８６】
本発明は、上述した例ではICタグに適用されたが、ICタグインレットを含まないタグに対しても適用することができる。この場合、例えば、上述した図４や図５の構成の香りシート内蔵ICタグ２２に対して、表面シート３１とICタグインレット３４との代わりに別のシートを配置させる。
【０１８７】
具体的には例えば、別のシートとして図１９に示される値札シール３０１を採用することができる。この場合、タグは図２０に示されるように構成される。
【０１８８】
この図２０のタグ３０２は、表面シート３１とICタグインレット３４の代わりに値札シート３０１が配置されているので、図９のリーダライタ８２や図１２の匂いセンサ付リーダライタ１５３と交信できないことになる。ただし、それ以外については、このタグ３０２は、香りシート内蔵ICタグ２２と基本的に同様の機能と構成を有している。従って、このタグ３０２を採用した場合には、上述した第１の効果乃至第７の効果のうちの、第４の効果乃至第６の効果を奏することはできないが、それ以外の第１の効果乃至第３の効果および第７の効果を全く同様に奏することが可能になる。なお、タグ３０２のその他の構成の説明は、香りシート内蔵ICタグ２２の対応する構成の上述した説明と同様になるので、ここでは省略する。
【０１８９】
また例えば、別のシートとして図２１に示されるバーコードシール３０３を採用することもできる。この場合、タグは図２２に示されるように構成される。
【０１９０】
この図２２のタグ３０４も、表面シート３１とICタグインレット３４の代わりにバーコードシール３０３が配置されているので、図９のリーダライタ８２や図１２の匂いセンサ付リーダライタ１５３と交信できないことになる。ただし、それ以外については、このタグ３０４も、香りシート内蔵ICタグ２２と基本的に同様の機能と構成を有している。従って、このタグ３０４を採用した場合にも、上述した第１の効果乃至第７の効果のうちの、第１の効果乃至第３の効果および第７の効果を全く同様に奏することが可能になる。なお、タグ３０４のその他の構成の説明は、香りシート内蔵ICタグ２２の対応する構成の上述した説明と同様になるので、ここでは省略する。
【図面の簡単な説明】
【０１９１】
【図１】本発明が適用される香りシート内蔵ICタグを利用したRFIDシステムの各構成要素の配置例を示す図である。
【図２】図１の香りシート内蔵ICタグの表面側の外観構成例を示す斜視図である。
【図３】図１の香りシート内蔵ICタグの裏面側の外観構成例を示す斜視図である。
【図４】図１の香りシート内蔵ICタグの構成例を示す分解図である。
【図５】図１の香りシート内蔵ICタグの構成例を示す断面図である。
【図６】図１の香りシート内蔵ICタグが商品に貼り付けられた状態の例を示す図である。
【図７】図１の香りシート内蔵ICタグが商品から剥がされようとしている状態の例を示す図である。
【図８】図４や図５の香りシート内蔵ICタグのうちの、ICタグインレットの詳細な構成例を示すブロック図である。
【図９】図１のレジ装置の構成例を示すブロック図である。
【図１０】図９のレジ装置のうちの主制御部の詳細な構成例を示すブロック図である。
【図１１】図９のレジ装置のうちのリーダライタの詳細な構成例を示すブロック図である。
【図１２】図１のゲート制御装置の構成例を示すブロック図である。
【図１３】図１２のゲート制御装置のうちの主制御部の詳細な構成例を示すブロック図である。
【図１４】図１２のゲート制御装置のうちの、ケースに覆われた匂いセンサ付リーダライタの外観構成例を示す斜視図である。
【図１５】図１２のゲート制御装置のうちの、ケースが外された匂いセンサ付リーダライタの外観構成例を示す斜視図である。
【図１６】図１のゲートの外観構成例を示す斜視図である。
【図１７】図１２のゲート制御装置のうちの匂いセンサ付リーダライタの内部の構成例を示すブロックである。
【図１８】図１２のゲート制御装置の処理例を説明するフローチャートである。
【図１９】値札シートの例を示す図である。
【図２０】本発明が適用されるタグであって、図１９の値札シートが採用されたタグの構成例を示す分解図である。
【図２１】バーコードシールの例を示す図である。
【図２２】本発明が適用されるタグであって、図２１のバーコードシールが採用されたタグの構成例を示す分解図である。
【符号の説明】
【０１９２】
１３  ゲート
２１  商品
２２  香りシート内蔵ICタグ
２３  レジ装置
２４  ゲート制御装置
３１  表面シート
３２  裏面シート
３３  保護シート
３４  ICタグインレット
３５  接着シート
３６  香りシート
４１  接着力中の接着部
４２  接着力弱の接着部
４３  接着力強の接着部
５１  香りの分子
８１  主制御部
８２  リーダライタ
１５１  主制御部
１５２  ゲート駆動部
１５３  匂いセンサ付リーダライタ
３０１  値札シート
３０２  値札シートを含むタグ
３０３  バーコードシール
３０４  バーコードシールを含むタグ
【図１】
2006189923.tif 000003
【図２】
2006189923.tif 000004
【図３】
2006189923.tif 000005
【図４】
2006189923.tif 000006
【図５】
2006189923.tif 000007
【図６】
2006189923.tif 000008
【図７】
2006189923.tif 000009
【図８】
2006189923.tif 000010
【図９】
2006189923.tif 000011
【図１０】
2006189923.tif 000012
【図１１】
2006189923.tif 000013
【図１２】
2006189923.tif 000014
【図１３】
2006189923.tif 000015
【図１４】
2006189923.tif 000016
【図１５】
2006189923.tif 000017
【図１６】
2006189923.tif 000018
【図１７】
2006189923.tif 000019
【図１８】
2006189923.tif 000020
【図１９】
2006189923.tif 000021
【図２０】
2006189923.tif 000022
【図２１】
2006189923.tif 000023
【図２２】
2006189923.tif 000024